(57)【特許請求の範囲】
【請求項１】
弾球遊技機の遊技盤保持枠に遊技盤を取り付けるための遊技盤取り付け構造において、
前記遊技盤保持枠と、遊技盤の片面に装着される挟持部材と、操作部材とで構成され、
前記遊技盤保持枠には、横幅よりも高さの方が大きい長方形状の係止穴が設けられ、
前記挟持部材には、前記係止穴と同形状の長穴部に円弧状の軸受部を付加した形状で、前記遊技盤を前記遊技盤保持枠に取り付けたときに前記長穴部が前記係止穴と重なり合う位置になる貫通開口が設けられ、
前記操作部材は、前記軸受部に内嵌して摺動回転可能な摺動部が設けられた主軸と、前記主軸の先端に連接された長方形状の係止片と、前記主軸の後端部に連接された操作レバーとを備え、
前記遊技盤には、前記遊技盤を前記遊技盤保持枠に取り付けたときに前記貫通開口と前記係止穴とを共通に貫く部材が前記遊技盤に接触するのを避けるための切欠が設けられており、
前記挟持部材と前記遊技盤保持枠との間に前記遊技盤を挟む状態で前記貫通開口の前記長穴部が前記係止穴と重なり合う位置になるように前記挟持部材と前記遊技盤と前記遊技盤保持枠とを位置合わせし、
前記係止片を先頭にして前記主軸を前記長穴部に挿入して、前記長穴部を通過させた前記係止片を前記係止穴の背後に至らせ、前記摺動部を前記軸受部に内嵌させてから、
前記操作レバーを介して前記軸受部に内嵌している前記摺動部を摺動回転させることで前記係止片を回転させて前記操作レバーと前記係止片とで前記挟持部材と前記遊技盤保持枠とを挟みつけることで、
前記遊技盤保持枠に前記遊技盤を取り付ける
ことを特徴とする遊技盤取り付け構造。
【発明の詳細な説明】
【技術分野】
【０００１】
本発明は、弾球遊技機の技術分野に属する。
【背景技術】
【０００２】
パチンコ機等の弾球遊技機は遊技盤を備えるのが普通である。その遊技盤は弾球遊技機の本体に対して着脱可能にされている。従って、遊技盤を弾球遊技機の本体に対して着脱可能に取り付けるための遊技盤取り付け構造が必要となる。
【特許文献１】特開２００７−６１１６８号公報
【発明の開示】
【発明が解決しようとする課題】
【０００３】
特許文献１に開示されている遊技盤用の施錠装置は構造が複雑である等、改善の余地があった。
【課題を解決するための手段】
【０００４】
請求項１記載の遊技盤取り付け構造は、
弾球遊技機の遊技盤保持枠に遊技盤を取り付けるための遊技盤取り付け構造において、
前記遊技盤保持枠と、遊技盤の片面に装着される挟持部材と、操作部材とで構成され、
前記遊技盤保持枠には、横幅よりも高さの方が大きい長方形状の係止穴が設けられ、
前記挟持部材には、前記係止穴と同形状の長穴部に円弧状の軸受部を付加した形状で、前記遊技盤を前記遊技盤保持枠に取り付けたときに前記長穴部が前記係止穴と重なり合う位置になる貫通開口が設けられ、
前記操作部材は、前記軸受部に内嵌して摺動回転可能な摺動部が設けられた主軸と、前記主軸の先端に連接された長方形状の係止片と、前記主軸の後端部に連接された操作レバーとを備え、
前記遊技盤には、前記遊技盤を前記遊技盤保持枠に取り付けたときに前記貫通開口と前記係止穴とを共通に貫く部材が前記遊技盤に接触するのを避けるための切欠が設けられており、
前記挟持部材と前記遊技盤保持枠との間に前記遊技盤を挟む状態で前記貫通開口の前記長穴部が前記係止穴と重なり合う位置になるように前記挟持部材と前記遊技盤と前記遊技盤保持枠とを位置合わせし、
前記係止片を先頭にして前記主軸を前記長穴部に挿入して、前記長穴部を通過させた前記係止片を前記係止穴の背後に至らせ、前記摺動部を前記軸受部に内嵌させてから、
前記操作レバーを介して前記軸受部に内嵌している前記摺動部を摺動回転させることで前記係止片を回転させて前記操作レバーと前記係止片とで前記挟持部材と前記遊技盤保持枠とを挟みつけることで、
前記遊技盤保持枠に前記遊技盤を取り付ける
ことを特徴とする。
【発明を実施するための最良の形態】
【０００５】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例のパチンコ機５０（弾球遊技機）の全体構造を図１〜３によって説明する。
【０００６】
パチンコ機５０の前面には、前面扉枠５１が配されている（図２、３は前面扉枠５１を撤去した状態を示している。）。詳しくは、ヒンジ構造を用いて中枠５８が外枠１に取り付けられ、その中枠５８に前面扉枠５１がヒンジ構造で付けられている。
【０００７】
前面扉枠５１には遊技盤８３を臨ませるための窓５２が設けられており（図１に示すのは遊技盤を装備していない状態である。）、窓５２を閉塞するためのガラス板が窓５２の背後に装着される。
【０００８】
窓５２の下方には上皿５４と下皿５５とが上下に重なるようにして配され、下皿５５の右側には発射ハンドル５６が配されている。また、中枠５８の前面には錠機構を操作するための鍵穴５９も取り付けられている。
【０００９】
遊技盤８３は板状で、その前面にはいずれも弧状の外レール８５、左内レール８６及び右内レール８７が取り付けられており、これらにて囲まれる略円形の領域が遊技領域８４とされる。また遊技盤８３には、センター役物（液晶表示装置）の取付けに使用される取付孔８８が設けられている。なお、図示は省略するが、取付孔８８から外れた位置には各種の入賞装置を取り付けるための穴も設けられており、遊技盤８３には入賞装置が取り付けられる。
【００１０】
遊技盤８３は中枠５８によって保持されている。つまり、中枠５８が遊技盤保持枠に該当する。
中枠５８は、アルミ押出成形品の２本の縦辺部６１と合成樹脂製の上横部材６２及び下横部材６３とで構成されており、下横部材６３の上面で遊技盤８３の下端面を支え、両方の縦辺部６１で遊技盤８３の左右を挟むようにして、遊技盤８３を保持する。下横部材６３には遊技盤８３の取り付けに用いられる係止構造部６３ａが設けられている。
【００１１】
中枠５８に遊技盤８３を取り付けるための遊技盤取り付け構造は、図４〜７に示すように、中枠５８（ここでは上横部材６２。また、下横部材６３の係止構造部６３ａ。）、遊技盤８３の片面に装着される域外装飾部材６４（挟持部材）と、操作部材６６とで構成されている。
【００１２】
操作部材６６は、円柱状の主軸７１、主軸７１の後端部に連接された操作レバー７２及び主軸７１のくびれた先端に連接された係止片７３を備えている。係止片７３は直方体の４角を面取りした形状で、主軸７１の軸心に垂直な方向の断面形状は長方形状をしている。なお、主軸７１の中央部（操作レバー７２とくびれた部分との間になる部分）は摺動部となる。
【００１３】
上横部材６２には、縦長の（横幅よりも高さの方が大きい）長方形状の係止穴６７が設けられている。この係止穴６７は係止片７３の輪郭寸法をわずかに上回っており、係止片７３の長手方向を係止穴６７の上下方向に合わせれば係止片７３を係止穴６７に挿入し通過させることができる。また、上横部材６２の背面には、係止穴６７に隣接して係止段差６８が設けられている。係止段差６８は係止片７３を係止させるために設けられている。
【００１４】
域外装飾部材６４には、上円弧部７４ａ、主円弧部７４ｂ、それらの端同士を結ぶ垂直部７４ｃからなる弓状の凹部７４が設けられている。域外装飾部材６４は、上円弧部７４ａを外レール８５の上端部の外面に接触させて、主円弧部７４ｂを右内レール８７の外面に接触させた姿勢で遊技盤８３の前面に当接させられ、ビス穴に通したビスにより遊技盤８３に固定されている。
【００１５】
域外装飾部材６４は、遊技盤８３の右内レール８７の外側（つまり遊技領域８４の外になる部分）を覆うようにして遊技盤８３に取り付けられており、域外装飾部材６４の上辺、右辺及び下辺は直線状で、取り付けられている遊技盤８３の各辺に重なり合う。
【００１６】
域外装飾部材６４の上下の隅部には凹陥部７５、７６が設けられている。各凹陥部７５、７６には、係止穴６７と同形状の長穴部７７ａに円弧状の軸受部７７ｂを付加した形状の貫通開口７７が設けられている。また、貫通開口７７の付近には軸受部７７ｂと同心状の弧状突起７８が設けられている。
【００１７】
この貫通開口７７には、上述の係止穴６７と同様に係止片７３を挿入し通過させることができる。また、係止片７３を挿入し通過させると軸受部７７ｂに主軸７１が内嵌し、その状態において軸受部７７ｂを軸受として主軸７１を摺動回転させることができる。
【００１８】
また、係止片７３及び主軸７１の先端部が貫通開口７７から域外装飾部材６４の背後に突出するが、遊技盤８３には、貫通開口７７の背後になる位置に切欠８９が設けられており、これら係止片７３及び主軸７１の突出を妨げない。
【００１９】
遊技盤８３を中枠５８に取り付ける作業は、次のように行われる。
まず、域外装飾部材６４（挟持部材）と中枠５８（遊技盤保持枠）の一部である上横部材６２との間に遊技盤８３を挟む状態で貫通開口７７の長穴部７７ａが係止穴６７と重なり合う位置になるように、域外装飾部材６４と遊技盤８３と中枠５８（上横部材６２）とを位置合わせする。
【００２０】
次に、係止片７３を先頭にして係止片７３及び主軸７１を長穴部７７ａに挿入し、係止片７３が長穴部７７ａを通過した係止片７３が係止穴６７をも通過して係止穴６７の背後に至るまで、押し込む。すると、係止片７３が係止穴６７の背後に突出して、主軸７１が軸受部７７ｂに内嵌した状態になる。
【００２１】
そして、操作レバー７２を介して軸受部７７ｂに内嵌している主軸７１を摺動回転させることで係止片７３をおよそ９０度回転させると、係止片７３が係止段差６８に乗り上げ、また操作レバー７２が弧状突起７８に乗り上げる。これにより、操作レバー７２と係止片７３とで域外装飾部材６４、遊技盤８３及び上横部材６２を挟みつける状態になる。
【００２２】
また、詳細の説明は省略するが下横部材６３の係止構造部６３ａについても同様の作業が行われる。
これにより、遊技盤８３が中枠５８に取り付けられる。
【００２３】
一方、遊技盤８３が中枠５８に取り付けられている状態において、操作レバー７２を上記とは逆に９０度戻し回転させれば、係止片７３と係止段差６８との係止が解除されるので操作部材６６を抜き取り可能になる。この操作部材６６を抜き取れば遊技盤８３を中枠５８から取り外しできる。
【００２４】
以上のように、本実施例の遊技盤取り付け構造は、構造が簡単で、操作が容易である。また、遊技盤８３を中枠５８に嵌めつけてから操作部材６６を差し込むので、遊技盤８３の嵌めつけと位置合わせの作業性が良くなる。
【図面の簡単な説明】
【００２５】
【図１】実施例のパチンコ機の正面斜視図（ａ）、背面斜視図（ｂ）。
【図２】実施例のパチンコ機から前面扉枠、上皿、下皿を撤去した状態の正面図。
【図３】実施例のパチンコ機から前面扉枠、上皿、下皿を撤去した状態の正面斜視図。
【図４】実施例のパチンコ機における遊技盤取り付け構造の分解斜視図。
【図５】実施例のパチンコ機における遊技盤取り付け構造を構成する操作部材、域外装飾部材及び遊技盤を組んだ状態の平面図、正面図、側面図。
【図６】実施例のパチンコ機における遊技盤取り付け構造で遊技盤が固定されていない状態の平面図、正面図、側面図。
【図７】実施例のパチンコ機における遊技盤取り付け構造で遊技盤が固定された状態の平面図、正面図、側面図。
【符号の説明】
【００２６】
１・・・外枠、
５０・・・パチンコ機、
５１・・・前面扉枠、
５２・・・窓、
５８・・・中枠、
６１・・・縦辺部、
６２・・・上横部材、
６３・・・下横部材、
６３ａ・・・係止構造部、
６４・・・域外装飾部材、
６６・・・操作部材、
６７・・・係止穴、
６８・・・係止段差、
７１・・・主軸、
７２・・・操作レバー、
７３・・・係止片、
７４・・・凹部、
７５・・・凹陥部、
７７・・・貫通開口、
７７ａ・・・長穴部、
７７ｂ・・・軸受部、
７８・・・弧状突起、
８３・・・遊技盤、
８４・・・遊技領域、
８５・・・外レール、
８７・・・右内レール、
８８・・・取付孔、
８９・・・切欠。
【図１】
0005123048.tif 000002
【図２】
0005123048.tif 000003
【図３】
0005123048.tif 000004
【図４】
0005123048.tif 000005
【図５】
0005123048.tif 000006
【図６】
0005123048.tif 000007
【図７】
0005123048.tif 000008